(57)【要約】  並列光学構成を採用する光ファイバネットワーク内で光結合部を支持する光ファイバ組立体を説明する。一実施形態では、光ファイバ組立体は、少なくとも２つのライブ多心コンポーネント及び少なくとも１つのタップ多心コンポーネントを含む。光信号が並列光結合構成で１つのライブ多心コンポーネントから別のライブ多心コンポーネントにルーティングされ、光信号の各群は、各ライブ多心コンポーネント上のファイバ位置の群にそれぞれ対応している。光信号の各群は又、並列光結合構成で少なくとも１つのタップ多心コンポーネントのファイバ位置の第１の群及び第２の群のうちの一方にルーティングされる。このようにして、ネットワーク動作を中断させる必要なく、並列光結合構成を用いて光ファイバ信号をアクティブな光ファイバネットワーク内に同時に提供すると共にモニタすることができる。【選択図】図２Ａ
2016540251.tif 000002
【特許請求の範囲】
【請求項１】
光ファイバネットワーク内で光結合部を支持する光ファイバ組立体であって、
第１の複数のライブ入力ファイバ位置を有する第１のライブ多心コンポーネントと、
前記第１の複数のライブ入力ファイバ位置に光学的に結合された、第２の複数のライブ出力ファイバ位置を有する第２のライブ多心コンポーネントと、
前記第２の複数のライブ出力ファイバ位置に光学的に結合された第１の複数のタップ入力ファイバ位置を有する少なくとも１つのタップ多心コンポーネントとを含み、
前記第１の複数のタップ入力ファイバ位置と前記第２の複数のライブ出力ファイバ位置との間には並列光結合構成が実現されている、光ファイバ組立体。
【請求項２】
前記第１のライブ多心コンポーネントは、第１の複数のライブ出力ファイバ位置を更に有し、
前記第２のライブ多心コンポーネントは、前記第１の複数のライブ出力ファイバ位置に光学的に結合された第２の複数のライブ入力ファイバ位置を更に有し、
前記少なくとも１つのタップ多心コンポーネントは、前記第２の複数のライブ出力ファイバ位置に光学的に結合された第２の複数のタップ入力ファイバ位置を更に有し、前記第２の複数のタップ入力ファイバ位置と前記第２の複数のライブ出力ファイバ位置との間には並列光結合構成が実現されている、請求項１記載の光ファイバ組立体。
【請求項３】
光ファイバモジュール内に配置された請求項１又は２記載の光ファイバ組立体。
【請求項４】
前記第１のライブ多心コンポーネントは、第１のライブ多心コネクタであり、
前記第２のライブ多心コンポーネントは、第２のライブ多心コネクタであり、
前記少なくとも１つのタップ多心コンポーネントの各々は、タップ多心コネクタである、請求項１〜３のうちいずれか一に記載の光ファイバ組立体。
【請求項５】
前記第１のライブ多心コネクタ及び第２のタップ多心コネクタは、エンクロージャの第１の側部内に配置され、
前記第２のライブ多心コネクタ及び第１のタップ多心コネクタは、前記第１の側部と反対側の前記エンクロージャの第２の側部内に配置されている、請求項４記載の光ファイバ組立体。
【請求項６】
前記第１のライブ多心コネクタは、第１のライブ多心アダプタによって受け入れられ、
前記第２のライブ多心コネクタは、第２のライブ多心アダプタによって受け入れられ、
前記タップ多心コネクタは、少なくとも１つのタップ多心アダプタによって受け入れられている、請求項４又は５記載の光ファイバ組立体。
【請求項７】
各々ライブ入力、ライブ出力及びタップ出力を有する第１の複数の光スプリッタ及び第２の複数の光スプリッタと、
前記第１の複数の光スプリッタの前記ライブ入力と前記第１の複数のライブ出力ファイバ位置との間に接続された第１の複数のライブ光ファイバと、
前記第１の複数の光スプリッタの前記ライブ出力と前記第２の複数のライブ入力ファイバ位置との間に接続された第２の複数のライブ光ファイバと、
前記第２の複数の光スプリッタの前記ライブ入力と前記第２の複数のライブ出力ファイバ位置との間に接続された第３の複数のライブ光ファイバと、
前記第２の複数の光スプリッタの前記ライブ出力と前記第１の複数のライブ入力ファイバ位置との間に接続された第４の複数のライブ光ファイバと、
前記第１の複数の光スプリッタの前記タップ出力と前記少なくとも１つのタップ多心コンポーネントのうちの１つの前記第１の複数のタップ入力ファイバ位置との間に接続された第１の複数のタップ光ファイバと、
前記第１の複数の光スプリッタの前記タップ出力と前記少なくとも１つのタップ多心コンポーネントのうちの１つの前記第２の複数のタップ入力ファイバ位置との間に接続された第２の複数のタップ光ファイバとを更に含む、請求項２〜６のうちいずれか一に記載の光ファイバ組立体。
【請求項８】
前記第１のライブ多心コンポーネントの前記第１の複数のライブ入力ファイバ位置及び前記第１の複数のライブ出力ファイバ位置は、複数のファイバ位置を備えた第１の並列光学構成を有し、前記複数のファイバ位置のうちの半分は、前記第１の複数のライブ入力ファイバ位置であり、前記複数のファイバ位置のうちの別の半分は、前記第１の複数のライブ出力ファイバ位置であり、
前記第２のライブ多心コンポーネントの前記第２の複数のライブ入力ファイバ位置及び前記第２の複数のライブ出力ファイバ位置は、複数のファイバ位置を備えた第１の並列光学構成を有し、前記複数のファイバ位置のうちの半分は、前記第２の複数のライブ入力ファイバ位置であり、前記複数のファイバ位置のうちの別の半分は、前記第２の複数のライブ出力ファイバ位置であり、
前記少なくとも１つのタップ多心コンポーネントのうちの１つの前記第１の複数のタップ入力ファイバ位置は、複数のファイバ位置を備えた前記第１の並列光学構成を有し、前記複数のファイバ位置のうちの半分は、前記第１の複数のタップ入力ファイバ位置であり、
前記少なくとも１つのタップ多心コンポーネントのうちの１つの前記第２の複数のタップ入力ファイバ位置は、複数のファイバ位置を備えた前記第１の並列光学構成を有し、前記複数のファイバ位置のうちの半分は、前記第２の複数のタップ入力ファイバ位置である、請求項７記載の光ファイバ組立体。
【請求項９】
前記複数のファイバ位置の半分に対応した第１の複数のファイバ位置及び前記複数のファイバ位置のうちの別の半分に対応した第２の複数のファイバ位置は、等しい個数のファイバ位置を含む、請求項８記載の光ファイバ組立体。
【請求項１０】
前記第１及び前記第２の複数の光スプリッタの各々は、前記第１及び前記第２の複数のファイバ位置の各々のファイバ位置の個数に等しい個数の光スプリッタを含む、請求項９記載の光ファイバ組立体。
【請求項１１】
前記第１、前記第２、前記第３、及び前記第４の複数のライブ光ファイバの各々は、前記第１及び前記第２の複数のファイバ位置の各々のファイバ位置の前記個数に等しい個数のライブ光ファイバを含み、
前記第１及び前記第２の複数のタップ光ファイバの各々は、前記第１及び前記第２の複数のファイバ位置中のファイバ位置の前記個数に等しい個数のタップ光ファイバを含む、請求項９又は１０記載の光ファイバ組立体。
【請求項１２】
前記第１及び前記第２の複数のファイバ位置の各々は、４つのファイバ位置から成る、請求項９〜１１のうちいずれか一に記載の光ファイバ組立体。
【請求項１３】
前記第１及び前記第２の複数のファイバ位置の各々は、６つのファイバ位置から成る、請求項９〜１１のうちいずれか一に記載の光ファイバ組立体。
【請求項１４】
前記第１の並列光学構成は、前記第１の並列光学構成の前記第１及び前記第２の複数のファイバ位置、第３の複数のファイバ位置及び第４の複数のファイバ位置を有する第２の並列光学構成の一部であり、
前記第３及び前記第４の複数のファイバ位置の各々は、前記第１及び前記第２の複数のファイバ位置の各々のファイバ位置の前記個数の半分に等しい個数のファイバ位置を含む、請求項９記載の光ファイバ組立体。
【請求項１５】
前記第１及び前記第２の複数のファイバ位置の各々は、４つのファイバ位置から成り、
前記第３及び前記第４の複数のファイバ位置の各々は、２つのファイバ位置から成る、請求項１４記載の光ファイバ組立体。
【請求項１６】
前記第２の並列光学構成は、１２個のファイバ位置を有する多心コネクタと互換性があり、
前記第１の複数のファイバ位置は、前記多心コネクタのファイバ位置１〜４に対応し、
前記第２の複数のファイバ位置は、前記多心コネクタのファイバ位置９〜１２に対応し、
前記第３の複数のファイバ位置は、前記多心コネクタのファイバ位置５，６に対応し、
前記第４の複数のファイバ位置は、前記多心コネクタのファイバ位置７，８に対応している、請求項１５記載の光ファイバ組立体。
【請求項１７】
前記多心コネクタは、ＭＰＯコネクタ及びＭＴＰコネクタのうちの一方である、請求項１６記載の光ファイバ組立体。
【請求項１８】
前記第２の並列光学構成は、１２個のファイバ位置を有する多心コネクタと互換性があり、
前記第１の複数のファイバ位置は、前記多心コネクタのファイバ位置１〜４に対応し、
前記第２の複数のファイバ位置は、前記多心コネクタのファイバ位置９〜１２に対応している、請求項１４記載の光ファイバ組立体。
【請求項１９】
前記多心コネクタは、ＭＰＯコネクタ及びＭＴＰコネクタのうちの一方である、請求項１８記載の光ファイバ組立体。
【請求項２０】
前記第１の複数のライブ光ファイバは、前記第１の複数の光スプリッタの前記ライブ入力と前記第１のライブ多心コンポーネントの前記第２の複数のファイバ位置との間に接続され、
前記第２の複数のライブ光ファイバは、前記第１の複数の光スプリッタの前記ライブ出力と前記第２のライブ多心コンポーネントの前記第２の複数のファイバ位置との間に接続され、
前記第３の複数のライブ光ファイバは、前記第２の複数の光スプリッタの前記ライブ入力と前記第２のライブ多心コンポーネントの前記第１の複数のファイバ位置との間に接続され、
前記第４の複数のライブ光ファイバは、前記第２の複数の光スプリッタの前記ライブ出力と前記第１のライブ多心コンポーネントの前記第１の複数のファイバ位置との間に接続されている、請求項１１記載の光ファイバ組立体。
【請求項２１】
前記第１の複数のタップ光ファイバは、前記第１の複数の光スプリッタの前記タップ出力と前記少なくとも１つのタップ多心コンポーネントのうちの第１のタップ多心コンポーネントの前記第１及び前記第２の複数のファイバ位置のうちの一方との間に接続され、
前記第２の複数のタップ光ファイバは、前記第１の複数の光スプリッタの前記タップ出力と前記少なくとも１つのタップ多心コンポーネントのうちの第２のタップ多心コンポーネントの前記第１及び前記第２の複数のファイバ位置のうちの一方との間に接続されている、請求項２０記載の光ファイバ組立体。
【請求項２２】
前記第１の複数のタップ光ファイバは、前記第１の複数の光スプリッタの前記タップ出力と前記少なくとも１つのタップ多心コンポーネントのうちの第１のタップ多心コンポーネントの前記第２の複数のファイバ位置との間に接続され、
前記第２の複数のタップ光ファイバは、前記第１の複数の光スプリッタの前記タップ出力と前記少なくとも１つのタップ多心コンポーネントのうちの第２のタップ多心コンポーネントの前記第２の複数のファイバ位置との間に接続されている、請求項２０記載の光ファイバ組立体。
【請求項２３】
前記第１の複数のタップ光ファイバは、前記第１の複数の光スプリッタの前記タップ出力と前記少なくとも１つのタップ多心コンポーネントのうちの第１のタップ多心コンポーネントの前記第１及び前記第２の複数のファイバ位置のうちの一方との間に接続され、
前記第２の複数のタップ光ファイバは、前記第１の複数の光スプリッタの前記タップ出力と前記第１のタップ多心コンポーネントの前記第１及び前記第２の複数のファイバ位置のうちの他方との間に接続されている、請求項２０記載の光ファイバ組立体。
【請求項２４】
前記第１の複数のタップ光ファイバは、前記第１の複数の光スプリッタの前記タップ出力と前記少なくとも１つのタップ多心コンポーネントのうちの第１のタップ多心コンポーネントの前記第２の複数のファイバ位置との間に接続され、
前記第２の複数のタップ光ファイバは、前記第１の複数の光スプリッタの前記タップ出力と前記第１のタップ多心コンポーネントの前記第１の複数のファイバ位置との間に接続されている、請求項２０記載の光ファイバ組立体。
【請求項２５】
エンクロージャを更に含み、前記第１のライブ多心コンポーネントは、前記エンクロージャの第１の側部内に配置され、
前記第２のライブ多心コンポーネント及び前記第１のタップ多心コンポーネントは、前記第１の側部と反対側の前記エンクロージャの第２の側部内に配置されている、請求項２４記載の光ファイバ組立体。
【請求項２６】
前記第１の複数のライブ光ファイバは、前記第１の複数の光スプリッタの前記ライブ入力と前記第１のライブ多心コンポーネントの前記第１の複数のファイバ位置との間に接続され、
前記第２の複数のライブ光ファイバは、前記第１の複数の光スプリッタの前記ライブ出力と前記第２のライブ多心コンポーネントの前記第２の複数のファイバ位置との間に接続され、
前記第３の複数のライブ光ファイバは、前記第２の複数の光スプリッタの前記ライブ入力と前記第２のライブ多心コンポーネントの前記第１の複数のファイバ位置との間に接続され、
前記第４の複数のライブ光ファイバは、前記第２の複数の光スプリッタの前記ライブ出力と前記第１のライブ多心コンポーネントの前記第２の複数のファイバ位置との間に接続されている、請求項１１記載の光ファイバ組立体。
【請求項２７】
前記第１の複数のタップ光ファイバは、前記第１の複数の光スプリッタの前記タップ出力と前記少なくとも１つのタップ多心コンポーネントのうちの第１のタップ多心コンポーネントの前記第１及び前記第２の複数のファイバ位置のうちの一方との間に接続され、
前記第２の複数のタップ光ファイバは、前記第２の複数の光スプリッタの前記タップ出力と前記少なくとも１つのタップ多心コンポーネントのうちの第２のタップ多心コンポーネントの前記第１及び前記第２の複数のファイバ位置のうちの一方との間に接続されている、請求項２６記載の光ファイバ組立体。
【請求項２８】
前記第１の複数のタップ光ファイバは、前記第１の複数の光スプリッタの前記タップ出力と前記少なくとも１つのタップ多心コンポーネントのうちの第１のタップ多心コンポーネントの前記第２の複数のファイバ位置との間に接続され、
前記第２の複数のタップ光ファイバは、前記第２の複数の光スプリッタの前記タップ出力と前記少なくとも１つのタップ多心コンポーネントのうちの第２のタップ多心コンポーネントの前記第２の複数のファイバ位置との間に接続されている、請求項２６記載の光ファイバ組立体。
【請求項２９】
エンクロージャを更に含み、前記第１のライブ多心コンポーネント及び前記第２のタップ多心コンポーネントは、前記エンクロージャの第１の側部内に配置され、
前記第２のライブ多心コンポーネント及び前記第１のタップ多心コンポーネントは、前記第１の側部と反対側の前記エンクロージャの第２の側部内に配置されている、請求項２８記載の光ファイバ組立体。
【請求項３０】
前記第１の複数のタップ光ファイバは、前記第１の複数の光スプリッタの前記タップ出力と前記少なくとも１つのタップ多心コンポーネントのうちの第１のタップ多心コンポーネントの前記第１及び前記第２の複数のファイバ位置のうちの一方との間に接続され、
前記第２の複数のタップ光ファイバは、前記第１の複数の光スプリッタの前記タップ出力と前記第１のタップ多心コンポーネントの前記第１及び前記第２の複数のファイバ位置のうちの他方との間に接続されている、請求項２６記載の光ファイバ組立体。
【請求項３１】
前記第１の複数のタップ光ファイバは、前記第１の複数の光スプリッタの前記タップ出力と前記少なくとも１つのタップ多心コンポーネントのうちの第１のタップ多心コンポーネントの前記第２の複数のファイバ位置との間に接続され、
前記第２の複数のタップ光ファイバは、前記第１の複数の光スプリッタの前記タップ出力と前記第１のタップ多心コンポーネントの前記第１の複数のファイバ位置との間に接続されている、請求項２６記載の光ファイバ組立体。
【請求項３２】
エンクロージャを更に含み、前記第１のライブ多心コンポーネントは、前記エンクロージャの第１の側部内に配置され、
前記第２のライブ多心コンポーネント及び前記第１のタップ多心コンポーネントは、前記第１の側部と反対側の前記エンクロージャの第２の側部内に配置されている、請求項３１記載の光ファイバ組立体。
【請求項３３】
ライブ及びタップ光信号を並列光学構成でルーティングする方法であって、
第１の複数のライブ光入力信号を並列光結合構成で光ファイバ組立体の第１のライブ多心コンポーネントの第１の複数のライブ出力ファイバ位置で受け取るステップと、
前記第１の複数のライブ光入力信号を第１の複数のライブ光出力信号及び第１の複数のタップ光出力信号に分割するステップと、
前記第１の複数のライブ光出力信号を並列光結合構成で前記光ファイバ組立体の第２のライブ光コンポーネントの第２の複数のライブ入力ファイバ位置に提供するステップと、
前記第１の複数のタップ光出力信号を並列光結合構成で前記光ファイバ組立体の少なくとも１つのタップ光コンポーネントの第１の複数のタップ入力ファイバ位置に提供するステップとを含む、方法。
【請求項３４】
第２の複数のライブ光入力信号を並列光結合構成で前記光ファイバ組立体の前記第２のライブ多心コンポーネントの第２の複数のライブ出力ファイバ位置で受け取るステップと、
前記第２の複数のライブ光入力信号を第２の複数のライブ光出力信号及び第２の複数のタップ光出力信号に分割するステップと、
前記第２の複数のライブ光出力信号を並列光結合構成で前記光ファイバ組立体の前記第１のライブ光コンポーネントの第１の複数のライブ入力ファイバ位置に提供するステップと、
前記第２の複数のタップ光出力信号を並列光結合構成で前記光ファイバ組立体の前記少なくとも１つのタップ光コンポーネントの第２の複数のタップ入力ファイバ位置に提供するステップとを更に含む、請求項３３記載の方法。
【発明の詳細な説明】
【技術分野】
【０００１】
本開示内容、即ち本発明は、一般に、光ファイバ機器内への光ファイバ接続部の提供に関し、特に、光ファイバネットワーク内のライブ光ファイバ接続部をモニタするためにライブファイバ光結合部とタップ光ファイバ接続部の両方を支持するために用いることができる光ファイバ組立体に関する。
【０００２】
〔関連出願の説明〕
本願は、２０１３年１２月６日に出願された米国特許出願第１４／０９９，００３号についての３５．Ｕ．Ｓ．Ｃ．§１２０に基づく優先権主張出願であり、この米国特許出願を参照により引用し、その記載内容全体を本明細書の一部とする。
【背景技術】
【０００３】
光ファイバを用いた場合の利点としては、帯域幅が極めて広いこと及び低ノイズ動作が挙げられる。これらの利点のために、光ファイバは、種々の用途にますます用いられており、かかる用途としては、広帯域音声、映像、及びデータ伝送が挙げられるが、これらには限定されない。光ファイバを用いた光ファイバネットワークは、音声、映像、及びデータ伝送内容を私設ネットワークと公衆ネットワークの両方により加入者に配信する際に用いられるよう開発されている。これら光ファイバネットワークは、１つの接続箇所から別の接続箇所に「ライブファイバ（live fiber）」を提供するよう光ファイバを連係する分離接続箇所を含む場合が多い。この点に関し、光ファイバ機器は、ライブファイバ相互接続部を支持するようデータ配信センタ又は中央局内に設置される。例えば、光ファイバ機器は、データセンタでサーバ、ストレージエリアネットワーク（ＳＡＮ）、及び／又は他の機器相互間の相互接続部を支持することができる。相互接続部は、更に、光ファイバパッチパネル又はモジュールによって支持されるのが良い。
【０００４】
光ファイバ機器は、用途及び接続帯域幅のニーズに基づいてカスタマイズされる場合がある。光ファイバ機器は、典型的には、スペースの利用を最適化するために機器ラック内に取り付けられたハウジング内に設けられる。多くのデータセンタオペレータ又はネットワークプロバイダは又、自分達のネットワーク内のトラフィックをモニタすることを望んでいる。モニタ技術のための典型的なユーザは、アーカイバル記録、セキュリティ目的等のためにデータトラフィックをモニタすることを望んでいるファイナンス、健康管理又は他の業界のような非常に規制された業界内に存在する場合がある。モニタ装置は、典型的には、例えばセキュリティ上の脅威、パフォーマンスの問題及び伝送の最適化のためにデータトラフィックをモニタする。かくして、モニタ装置は、ネットワークトラフィックの分析を可能にすると共に互いに異なるアーキテクチャを用いることができ、かかるアーキテクチャとしては、アクティブアーキテクチャ、例えばＳＰＡＮ（即ち、ミラーリング）ポート、又はパッシブアーキテクチャ、例えばポートタップが挙げられる。パッシブタップは、特に、フレームの時間関係を変更せず、データをグルーミングし、又はエラー付きの物理層パケットをフィルタリングして除去するという利点を有し、かかるパッシブタップは、ネットワーク負荷には依存しない。
【０００５】
本明細書において引用する文献が先行技術を構成するという承認は、なされない。本出願人は、任意の引用文献の正確さ及び妥当性を否認する権利を明示的に留保する。
【発明の概要】
【０００６】
本明細書において開示する実施形態は、並列光学構成を採用する光ファイバネットワーク内で光結合部を支持する光ファイバ組立体を含む。一実施形態では、光ファイバ組立体は、少なくとも２つのライブ多心コンポーネント及び少なくとも１つのタップ多心コンポーネントを含む。ライブ及びタップ多心コンポーネントは各々、光ファイバをそれぞれのコンポーネントに所定の接続場所で又はコンポーネント内で光学的に結合する複数の光ファイバのファイバ位置を有する並列光学構成を共有する。本明細書において開示される実施形態では、光信号が並列光結合構成でライブ多心コンポーネントから別のライブ多心コンポーネントにルーティングされ、光信号の各群は、各ライブ多心コンポーネント上のファイバ位置のそれぞれの群に対応している。光信号の各群は又、並列光結合構成で少なくとも１つのタップ多心コンポーネントのファイバ位置の第１の群及び第２の群のうちの一方にルーティングされる。このようにして、光ファイバ組立体は、ネットワーク動作を中断させる必要なく、並列光結合構成を用いてアクティブな光ファイバネットワーク内における光ファイバ信号について同時の送信とモニタをサポートすることができる。この構成は又、既存のネットワークとの高い互換性の実現をする。と言うのは、ライブ及びタップ接続部は、同一の並列光ケーブル配線及び接続コンポーネントを採用することができ、しかも、同タイプのコンポーネント及びファイバ位置構成を用いてライブ多心コンポーネントとタップ多心コンポーネントの両方に信号を送ることができるからである。
【０００７】
本発明の一実施形態は、光ファイバネットワーク内における光結合部を支持する光ファイバ組立体に関する。光ファイバ組立体は、第１の複数のライブ入力ファイバ位置を有する第１のライブ多心コンポーネントを含む。光ファイバ組立体は、第１の複数のライブ入力ファイバ位置に光学的に結合された第２の複数のライブ出力ファイバ位置を有する第２のライブ多心コンポーネントを更に含む。光ファイバ組立体は、更に、第２の複数のライブ出力ファイバ位置に光学的に結合された第１の複数のタップ入力ファイバ位置を有する少なくとも１つのタップ多心コンポーネントを含み、タップ入力ファイバ位置とライブ出力ファイバ位置との間には並列光結合構成が実現されている。
【０００８】
本発明の追加の実施形態は、ライブ及びタップ光信号を並列光学構成内でルーティングする方法に関する。本方法は、第１の複数のライブ光入力信号を並列光結合構成で光ファイバ組立体の第１のライブ多心コンポーネントの第１の複数のライブ出力ファイバ位置で受け取るステップを含む。本方法は、第１の複数のライブ光入力信号を第１の複数のライブ光出力信号及び第１の複数のタップ光出力信号に分割するステップを更に含む。本方法は、第１の複数のライブ光出力信号を並列光結合構成で光ファイバ組立体の第２のライブ光コンポーネントの第２の複数のライブ入力ファイバ位置に提供するステップを更に含む。本方法は、更に、第１の複数のタップ光出力信号を並列光結合構成で光ファイバ組立体の少なくとも１つのタップ光コンポーネントの第１の複数のタップ入力ファイバ位置に提供するステップを含む。
【０００９】
追加の特徴及び追加の利点は、以下の詳細な説明に記載され、一部は、本明細書から当業者には容易に明らかであり又は本明細書及び特許請求の範囲並びに添付の図面に記載された実施形態を実施することによって認識される。
【００１０】
上述の概要説明と以下の詳細な説明の両方は、例示であるに過ぎず、特許請求の範囲に記載された本発明の性質及び特性を理解するための概観又は構想を提供するものであることは理解されるべきである。
【００１１】
添付の図面は、より深い理解を提供するために設けられており、本明細書に組み込まれてその一部をなす。図面は、１つ又は２つ以上の実施形態を示しており、詳細な説明と一緒になって、種々の実施形態の原理及び作用を説明するのに役立つ。
【図面の簡単な説明】
【００１２】
【図１】従来型Ｂａｓｅ‐８光ファイバ組立体の略図である。
【図２Ａ】例示の実施形態に従って２つのタップ多心コネクタを含むＢａｓｅ‐８、Ｔｙｐｅ‐Ａ光ファイバ組立体の略図である。
【図２Ｂ】図２ＡのＴｙｐｅ‐Ａ光ファイバ組立体を用いたＢａｓｅ‐８、Ｔｙｐｅ‐Ａ光ファイバモジュールの内部の平面図であり、光ファイバモジュールが例示の実施形態に従って２つのタップ多心アダプタに接続された２つのタップ多心コネクタを有している状態を示す図である。
【図３】例示の実施形態に従って２つのタップ多心コネクタを含むＢａｓｅ‐８、Ｔｙｐｅ‐Ｂ光ファイバ組立体の略図である。
【図４】例示の実施形態に従って１つのタップ多心コネクタを含むＢａｓｅ‐８、Ｔｙｐｅ‐Ａ光ファイバ組立体の略図である。
【図５】例示の実施形態に従って１つのタップ多心コネクタを含むＢａｓｅ‐８、Ｔｙｐｅ‐Ｂ光ファイバ組立体の略図である。
【図６】３つのＢａｓｅ‐８接続部と２つのＢａｓｅ‐１２接続部相互間で変換するためのＢａｓｅ‐８／Ｂａｓｅ‐１２タップ変換組立体の略図であり、タップ変換組立体を通るライブトラフィックをモニタするための２つのＢａｓｅ‐１２タップ多心コネクタを含む図である。
【図７】図２ＡのＢａｓｅ‐８、Ｔｙｐｅ‐Ａ光ファイバ組立体を採用した光ファイバネットワークの一部分の略図である。
【図８】図３のＢａｓｅ‐８、Ｔｙｐｅ‐Ｂ光ファイバ組立体を採用した光ファイバネットワークの一部分の略図である。
【図９】図４のＢａｓｅ‐８、Ｔｙｐｅ‐Ａ光ファイバ組立体を採用した光ファイバネットワークの一部分の略図である。
【図１０】図５のＢａｓｅ‐８、Ｔｙｐｅ‐Ｂ光ファイバ組立体を採用した光ファイバネットワークの一部分の略図である。
【図１１Ａ】図６のＢａｓｅ‐８／Ｂａｓｅ‐１２タップ変換組立体を採用した光ファイバネットワークの一部分の略図である。
【図１１Ｂ】図６のＢａｓｅ‐８／Ｂａｓｅ‐１２タップ変換組立体を採用した光ファイバネットワークの一部分の略図である。
【図１２】例示の実施形態に従って並列光学部品を用いて光ファイバ組立体内で光信号をルーティングする方法を示す流れ図である。
【発明を実施するための形態】
【００１３】
本明細書において開示する実施形態は、並列光学構成を採用する光ファイバネットワーク内で光結合部を支持する光ファイバ組立体を含む。一実施形態では、光ファイバ組立体は、少なくとも２つのライブ多心コンポーネント及び少なくとも１つのタップ多心コンポーネントを含む。ライブ及びタップ多心コンポーネントは各々、光ファイバをそれぞれのコンポーネントに所定の接続場所で又はコンポーネント内で光学的に結合する複数の光ファイバのファイバ位置を有する並列光学構成を共有する。本明細書において開示される実施形態では、光信号が並列光結合構成でライブ多心コンポーネントから別のライブ多心コンポーネントにルーティングされ、光信号の各群は、各ライブ多心コンポーネント上のファイバ位置のそれぞれの群に対応している。光信号の各群は又、並列光結合構成で少なくとも１つのタップ多心コンポーネントのファイバ位置の第１の群及び第２の群のうちの一方にルーティングされる。このようにして、光ファイバ組立体は、ネットワーク動作を中断させる必要なく、並列光結合構成を用いてアクティブな光ファイバネットワーク内における光ファイバ信号について同時の送信とモニタをサポートすることができる。この構成は又、既存のネットワークとのより高い互換性を実現する。と言うのは、ライブ及びタップ接続部は、同一の並列光ケーブル配線及び接続コンポーネントを採用することができ、しかも、同タイプのコンポーネント及びファイバ位置構成を用いてライブ多心コンポーネントとタップ多心コンポーネントの両方に信号を送ることができるからである。
【００１４】
種々の実施形態は、以下の実施例によって更に明らかにされる。本明細書において開示する実施形態を説明する前に、最初に、タップ多心アダプタを含まない並列光学部品を採用した光ファイバ組立体について説明する。並列光学部品は、多量のアップストリーム及びダウンストリームデータ帯域幅を複数のアップストリーム及びダウンストリーム光ファイバに割り振る。光信号を出力したり光信号を受け取ったりするよう多数のファイバを各々割り当てることによって、各並列光学構成は、各方向における個々の光ファイバの各々の最大帯域幅の倍数を伝送することができる。
【００１５】
この点において、図１は、ライブ並列光学構成を採用した光ファイバ組立体１０を示している。光ファイバ組立体１０は、４つのライブ多心コネクタ１４（１）〜１４（４）を支持するものとして図１に示されている。この実施形態では、各ライブ多心コネクタ１４（１）〜１４（４）は、最高１２本までの光ファイバを支持するよう構成された本明細書においてはファイバ位置とも呼ばれる１２個の接続位置を有する多心コネクタである。本明細書で用いられるファイバ位置は、光ファイバコネクタ又は他の多心光ファイバ接続コンポーネント中のファイバ接続位置であり、かかる多心光ファイバ接続コンポーネントは、このコンポーネントへのファイバの接続場所をあらかじめ決定する。１２個の接続多心コネクタ、例えばＭＰＯ又はＭＴＰ型コネクタを用いた場合、Ｂａｓｅ‐８並列光学ソリューション（解決策）は、８本のライブ光ファイバ１６Ｌを含み、ライブ光ファイバ１６Ｌは、各ライブ多心コネクタ１４の１２個のファイバ位置のうちの８つだけを用いる。多心コネクタ１４（１）〜１４（４）は、光ファイバ組立体１０に従って光ファイバ組立体内に設けられた多心アダプタ（図示せず）に光学的に結合されるよう構成されていても良く、或いは、他形式の光ファイバ接続コンポーネントを含んでも良い。
【００１６】
引き続き図１を参照すると、多種多様な極性方式を光ファイバ組立体１０に採用することができる。この用途では、例えば、“Ｔｙｐｅ‐Ａ”並列光極性方式は、各ライブ光結合部が２つのライブ光ファイバ位置のうちの同一のファイバ位置相互間に接続される極性構造を意味している。他方“Ｔｙｐｅ‐Ｂ”並列光極性方式は、各ライブ光結合部が２つのライブ光ファイバコネクタの互いに反対側のファイバ位置相互間に接続される極性構造を意味している。例えば、図１の実施形態では、Ｔｙｐｅ‐Ｂ極性構造が光ファイバ組立体１０内に示されており、このことは、ライブ光ファイバ１６Ｌ（１）がライブ多心コネクタ１４（１）のファイバ位置Ｆ１２とライブ多心コネクタ１４（２）のファイバ位置Ｆ１との間に接続され、ライブ光ファイバ１６Ｌ（２）が多心コネクタ１４（１）のファイバ位置Ｆ１１とライブ多心コネクタ１４（２）のファイバ位置Ｆ２との間に接続され、以下同様である。理解されるべきこととして、この実施例及び他の実施例では、ファイバ位置Ｆ１〜Ｆ１２を便宜上、ファイバ位置１〜１２とも呼ぶ場合がある。
【００１７】
図１の光ファイバ組立体１０の構成は、４本のアップストリーム光ファイバ及び４本のダウンストリーム光ファイバを採用した“Ｂａｓｅ‐８”基準構成の一例であり、各光ファイバは、１秒当たり１０ギガビット（１０Ｇ）の帯域幅を有すると、全部で各方向に４０Ｇとなる。ネットワークの速度は、光ファイバ１本当たり２５Ｇ以上をサポートするよう増大し、対応のＢａｓｅ‐８システムは、一例として１００Ｇ以上の帯域幅をサポートするようスケールアップ可能である。したがって、アクティブなネットワークアクティビティを中断しないやり方でソリューション（解決策）を並列光学系中に組み込む必要性がある。
【００１８】
この点に関し、図２Ａは、本明細書では「組立体１８」とも呼ばれる光ファイバ組立体１８を示している。以下に詳細に説明するように、図２Ａの光ファイバ組立体１８は、Ｂａｓｅ‐８並列光学構成及びＴｙｐｅ‐Ａ極性構成を有する。この点に関し、図２Ａのこの実施例における光ファイバ組立体１８は、多心コネクタとの光結合を容易にするよう或る特定のファイバ位置及びファイバ分割を提供する。例えば、第１のライブ多心コネクタ１４（１）及び第２のライブ多心コネクタ１４（２）が光ファイバ組立体１８に接続された状態で示されている。この点に関し、４本のライブ光ファイバ１６Ｌ（１）〜１６Ｌ（４）が第１のライブ多心コネクタ１４（１）のファイバ位置Ｆ９〜Ｆ１２と４つの光スプリッタ２０（１）〜２０（４）との間に光学的に結合されている。光スプリッタ２０（１）〜２０（４）は各々、ライブ入力２２のところでそれぞれのライブ光ファイバ１６Ｌ（１）〜１６Ｌ（４）から受け取った光信号を分割する。次に、各光スプリッタ２０は、この信号をライブ光ファイバ２６Ｌに接続されたそれぞれのライブ出力２４Ｌ及びタップ光ファイバ２６Ｔに接続されたそれぞれのタップ出力２４Ｔに出力する。
【００１９】
ライブ光ファイバ２６Ｌ（１）〜２６（４）が光スプリッタ２０（１）〜２０（４）と第２のライブ多心コネクタ１４（２）のファイバ位置Ｆ９〜Ｆ１２との間に接続されている。それと同時に、対応の組をなすライブ光ファイバ１６Ｌ（５）〜１６Ｌ（８）が第２のライブ多心コネクタ１４（２）のファイバ位置Ｆ１〜Ｆ４と光スプリッタ２０（５）〜２０（８）との間に接続され、対応の組をなすライブ光ファイバ２６Ｌ（５）〜２６Ｌ（８）が光スプリッタ２０（５）〜２０（８）と第１のライブ多心コネクタ１４（１）のファイバ位置Ｆ１〜Ｆ４との間に接続されている。
【００２０】
このように、ライブ光学結合部がライブ多心コネクタ１４（１），１４（２）相互間に維持される。しかしながら、各光スプリッタ２０がライブ入力２２のところで受け取った信号の一部分をタップ出力２４Ｔに転送するので、ライブ多心コネクタ１４（１），１４（２）相互間の両方向におけるトラフィックをモニタすることも又今や可能である。この場合、タップ光ファイバ２６Ｔ（１）〜２６Ｔ（４）が光スプリッタ２０（１）〜２０（４）と第１のタップ多心コネクタ２８（１）のファイバ位置Ｆ９〜Ｆ１２との間に接続され、それによりライブ多心コネクタ１４（１）を通って伝達されて隣接のライブ多心コネクタ１４（２）によって受け取られるトラフィックのモニタが可能である。同様に、タップ光ファイバ２６Ｔ（５）〜２６Ｔ（８）が光スプリッタ２０（５）〜２０（８）と第２のタップ多心コネクタ２８（２）のファイバ位置Ｆ９〜Ｆ１２との間に接続され、それによりライブ多心コネクタ１４（２）を通って伝達されて隣接のライブ多心コネクタ１４（１）によって受け取られるトラフィックのモニタが可能である。注目されるべきこととして、この実施形態では、各タップ多心コネクタ２８は、その対応の隣接のライブ多心コネクタ１４と同じ信号を受け取るよう構成され、それにより、ユーザは、どのライブ信号が各タップ多心コネクタ２８に対応しているかを視覚的に容易に確認することができる。また、注目されるべきこととして、この実施形態及び他の実施形態では、ファイバ接続位置を有する別の光ファイバ接続コンポーネントをライブ多心コネクタ１４（１）及び１４（２）及び／又はタップ多心コネクタ２８（１）及び２８（２）に代えて用いることができる。
【００２１】
上述したように、図２Ａの組立体１８は、Ｂａｓｅ‐８並列光学構成を有する。本明細書で用いられるＢａｓｅ‐８という用語は、４つのファイバ位置のうちの最も外側の群、即ちファイバ位置Ｆ１〜Ｆ４及びＦ９〜Ｆ１２が用いられる１２‐接続多心コネクタ、例えばＭＰＯ、ＭＰＴ又は他のコネクタ用の並列光学構成を指しており、一方の群は、光信号を受け取るために用いられ、他方の群は、送信される光信号を提供するために用いられる。例えば、限定するものではないが、送信光信号を送ったり光信号を受け取ったりするよう各々４本のファイバを割り当てることによって、各Ｂａｓｅ‐８構成は、現行の１０Ｇ／ファイバ規格を用いて最高１秒当たり４０ギガビット（４０Ｇ）を両方向に転送することができ、しかもより新型の２５Ｇ／ファイバ規格を用いて最高１００Ｇを両方向に転送することができ、またその他のことをすることができる。
【００２２】
加うるに、これ又上述したように、図２Ａの組立体１８は、Ｔｙｐｅ‐Ａ極性構成を有する。本明細書で用いられるＴｙｐｅ‐Ａという用語は、第１のライブ多心コネクタのファイバ位置の第１の半分（例えば、ファイバ位置１〜（Ｎ／２））が第２のライブ多心コネクタのファイバ位置の対応の第１の半分（例えば、ファイバ位置１〜（Ｎ／２））に光学的に結合され、第１のライブ多心コネクタのファイバ位置（Ｎ／２＋１）〜Ｎが第２のライブ多心コネクタの対応のファイバ位置（Ｎ／２＋１）〜Ｎに光学的に結合されるＮ個の光ファイバ接続部の構成を指している。換言すると、Ｔｙｐｅ‐Ａ構成では、ファイバ位置の一方の半分は、ライブ信号を一貫した方向（例えば、ダウンリンク又はアップリンク）に伝送し、ファイバ位置の他方の半分は、ライブ信号を逆方向に伝送する。かくして、この構成により、既存のネットワークとのより高い互換性を得ることができる。と言うのは、ライブ及びタップ接続部も又、同一の並列光ケーブル配線及びコネクタを採用することができ、しかも、同タイプのコネクタ及びファイバ位置構成を用いてライブ多心コネクタとタップ多心コネクタの両方に信号を送ることができるからである。
【００２３】
図２Ａの実施例では、Ｂａｓｅ‐８構成は、より大きな１２‐接続並列光学構成の８‐接続サブセットである。かくして、このＢａｓｅ‐８実施例では、８個のアクティブファイバ位置についてＮ＝８であり、ファイバ位置Ｆ１〜Ｆ４（即ち、１〜（Ｎ／２））は、１２‐接続並列光学構成のファイバ位置Ｆ１〜Ｆ４に対応し、Ｂａｓｅ‐８構成のファイバ位置Ｆ５〜Ｆ８（即ち、（Ｎ／２＋１）〜８）は、１２‐接続並列光学構成のファイバ位置Ｆ９〜Ｆ１２に対応している。
【００２４】
かくして、図２Ａの実施例では、ライブ光ファイバの第１の群３０（１）（即ち、ライブ光ファイバ１６Ｌ（１）〜１６Ｌ（４））は、光スプリッタの第１の群３２（１）（即ち、光スプリッタ２０（１）〜２０（４））を介してライブ多心コネクタ１４（１）とライブ多心コネクタ１４（２）の両方のＢａｓｅ‐８並列光学構成のファイバ位置の第２の群（即ち、ファイバ位置Ｆ９〜Ｆ１２）相互間に接続されていることが理解できる。同様に、ライブ光ファイバの第３の群３０（３）（即ち、ライブ光ファイバ１６Ｌ（５）〜１６Ｌ（８））は、光スプリッタの第２の群３２（２）（即ち、光スプリッタ２０（５）〜２０（８））を介してライブ多心コネクタ１４（１）とライブ多心コネクタ１４（２）の両方のＢａｓｅ‐８並列光学構成のファイバ位置の第１の群（即ち、ファイバ位置Ｆ１〜Ｆ４）相互間に接続されている。したがって、次に説明する実施形態に関し、例えばライブ光ファイバの群３０（１）〜３０（４）及び光スプリッタの群３２（１）〜３２（２）のようなコンポーネントの群は、該当する場合には、それ自体を指している。同様に、次に説明する実施形態に関し、例えばライブ光ファイバ１６Ｌ（１）〜１６Ｌ（８）、ライブ光ファイバ２６Ｌ（１）〜２６Ｌ（８）等のような個々のコンポーネントの識別は、上述の識別された群において言及された場合には省かれることになる。
【００２５】
この実施形態では、タップ光ファイバの第１の群３４（１）（即ち、タップ光ファイバ２６Ｔ（１）〜２６Ｔ（４））は、光スプリッタの第１の群３２（１）とタップ多心コネクタ２８（１）のファイバ位置の第２の群（即ち、ファイバ位置Ｆ９〜Ｆ１２）との間に接続され、タップ光ファイバの第２の群３４（２）（即ち、タップ光ファイバ２６Ｔ（５）〜２６Ｔ（８））は、光スプリッタの第２の群３２（２）とタップ多心コネクタ２８（２）のファイバ位置の第２の群（即ち、ファイバ位置Ｆ９〜Ｆ１２）との間に接続されている。かくして、上述の組立体１８は、組立体１８に接続された対をなすタップ多心コネクタ２８（１）及び２８（２）によりライブ多心コネクタ１４（１）及び１４（２）によるアップストリーム及びダウンストリームトラフィックの同時モニタを可能にする。
【００２６】
図２Ａの光ファイバ組立体１８を所望ならば光ファイバモジュール内に採用することができる。この点に関し、図２Ｂは、図２ＡのＴｙｐｅ‐Ａ光ファイバ組立体１８を採用したＢａｓｅ‐８、Ｔｙｐｅ‐Ａ光ファイバモジュール１９の略図である。光ファイバモジュール１９は、光ファイバ３０（１）〜３０（４）と光ファイバ３４（１）〜３４（２）を収容したエンクロージャ１２及びＴｙｐｅ‐Ａ極性構成を提供する光スプリッタ３２（１）〜３２（２）を含む。第１のライブ多心アダプタ１５（１）がエンクロージャ１２の後側に設けられている。第２のライブ多心アダプタ１５（２）がエンクロージャ１２の前側に設けられている。第１及び第２のライブ多心アダプタ１５（１），１５（２）は、組立体１８の第１及び第２のライブ多心コネクタ１４（１）〜１４（２）を受け入れる。第１及び第２のライブ多心アダプタ１５（１），１５（２）により、光ファイバモジュール１９の外部に位置する光ファイバケーブルの別のライブ光ファイバコネクタを第１及び第２のライブ多心コネクタ１４（１）〜１４（２）に光学的に結合してライブ光信号を伝送すると共に、図２Ａを参照して上述したように、第１及び第２のライブ多心コネクタ１４（１），１４（２）に接続されているライブ光ファイバ３０（１）〜３０（４）との光学結合を確立することができる。第１のタップ多心アダプタ２９（１）がエンクロージャ１２の後側に設けられている。第２のタップ多心アダプタ２９（２）がエンクロージャ１２の前側に設けられている。第１及び第２のタップ多心アダプタ２９（１），２９（２）は、第１及び第２のタップ多心コネクタ２８（１），２８（２）の受け入れを容易にする。第１及び第２のタップ多心アダプタ２９（１），２９（２）により、第１の光モジュール１９の外部に位置する光ファイバケーブルの他のタップ光ファイバコネクタを第１及び第２のタップ多心コネクタ２８（１），２８（２）に光学的に結合して図２Ａを参照して上述したように、タップ光ファイバ３４（１）〜３４（２）により光スプリッタ３２（１），３２（２）からの引き出された状態の光学結合部を受け入れることができる。
【００２７】
別の極性構成を本明細書ではＴｙｐｅ‐Ｂ極性構成と呼ぶ。本明細書で用いられるＴｙｐｅ‐Ｂという用語は、第１のライブ多心コネクタのファイバ位置の第１の半分（例えば、ファイバ位置１〜（Ｎ／２））が第２のライブ多心コネクタのファイバ位置の対応の第２の半分（例えば、ファイバ位置（Ｎ／２）＋１〜Ｎ）に光学的に結合され、第１のライブ多心コネクタのファイバ位置の第２の半分（例えば、ファイバ位置（Ｎ／２）＋１〜Ｎ）が第２のライブ多心コネクタのファイバ位置の対応の第１の半分（例えば、ファイバ位置１〜（Ｎ／２））に光学的に結合されるＮ個の光ファイバ接続部の構成を指している。換言すると、Ｔｙｐｅ‐Ｂ構成では、各ライブ多心コネクタのファイバ位置の第１の半分は、常に、ライブ信号を対向したライブ多心コネクタのファイバ位置の第２の半分に伝送するよう構成されており、同様に、各ライブ多心コネクタのファイバ位置の第２の半分は、常に、ライブ信号を対向したライブ多心コネクタのファイバ位置の第１の半分から受け取るよう構成されている。
【００２８】
この点に関し、図３は、別の実施形態に従ってＴｙｐｅ‐Ｂ極性構成を有する「組立体３６」とも呼ぶ光ファイバ組立体３６を示している。上述の図２Ａの組立体１８と同様、組立体３６は、第１のライブ多心コネクタ１４（１）及び第２のタップ多心コネクタ２８（２）を含む。この実施形態では、第２のライブ多心コネクタ１４（２）及び第１のタップ多心コネクタ２８（１）も又提供されている。組立体３６を例えば所望ならば図２Ｂの実施形態と同様な仕方で光ファイバモジュール内に設けることができる。
【００２９】
しかしながら、図２Ａの組立体１８に提供されているＴｙｐｅ‐Ａ極性構成に代えて、図３の組立体３６は、Ｔｙｐｅ‐Ｂ極性構成を有し、ライブ光ファイバの第１の群３０（１）が光スプリッタの第１の群３２（１）のライブ入力２２（図示せず）と第１のライブ多心コネクタ１４（１）のファイバ位置の第１の群（即ち、ファイバ位置Ｆ１〜Ｆ４）との間に接続されている。ライブ光ファイバの第２の群３０（２）が光スプリッタの第１の群３２（２）のライブ出力２４Ｌ（図示せず）と第２のライブ多心コネクタ１４（２）のファイバ位置の第２の群（ファイバ位置Ｆ９〜Ｆ１２）との間に接続されている。同様に、ライブ光ファイバの第３の群３０（３）が光スプリッタの第２の群３２（２）のライブ入力２２（図示せず）と第２のライブ多心コネクタ１４（２）のファイバ位置の第１の群（即ち、ファイバ位置Ｆ１〜Ｆ４）との間に接続されている。ライブ光ファイバの第４の群３０（４）が光スプリッタの第２の群３２（２）のライブ出力２４Ｌ（図示せず）と第１のライブ多心コネクタ１４（１）のファイバ位置の第２の群（ファイバ位置Ｆ９〜Ｆ１２）との間に接続されている。
【００３０】
図２Ａの組立体１８と同様に、タップ光ファイバ３４（１）の第１の群は、光スプリッタの第１の群３２（１）のタップ出力２４Ｔ（図示せず）と第１のタップ多心コネクタ２８（１）のファイバ位置の第２の群（ファイバ位置Ｆ９〜Ｆ１２）との間に接続されている。同様に、タップ光ファイバの第２の群３４（２）が光スプリッタの第２の群３２（２）のタップ出力２４Ｔ（図示せず）と第２のタップ多心コネクタ２８（２）のファイバ位置の第２の群（ファイバ位置Ｆ９〜Ｆ１２）との間に接続されている。
【００３１】
かくして、２‐タップ多心ソリューション（解決策）は、Ｔｙｐｅ‐Ａ組立体とＴｙｐｅ‐Ｂ組立体、例えばＴｙｐｅ‐Ａ組立体１８とＴｙｐｅ‐Ｂ組立体３６の両方に利用可能であることが理解できる。また、理解されるべきこととして、異なる数のタップ多心コネクタを用いても、例えば全てのタップ出力を単一の多心コネクタに統合することができる。この点に関し、図４は、ライブ多心コネクタ１４（１）及び１４（２）が図２Ａの組立体１８と同様なＴｙｐｅ‐Ａ極性構成で相互に接続された光ファイバ組立体３８を示しており、この光ファイバ組立体は、ライブ多心コネクタ１４（１）及び１４（２）により提供されるライブ信号の両方の群を受け取るよう構成された１つのタップ多心コネクタ４０を含む。
【００３２】
図２Ａを参照して上述したように、ライブ光ファイバの第１の群３０（１）は、光スプリッタの第１の群３２（１）と第１のライブ多心コネクタ１４（１）のファイバ位置の第２の群（ファイバ位置Ｆ９〜Ｆ１２）との間に接続され、ライブ光ファイバの第２の群３０（２）は、光スプリッタの第１の群３２（１）と第２のライブ多心コネクタ１４（２）のファイバ位置の第２の群（ファイバ位置Ｆ９〜Ｆ１２）との間に接続されている。同様に、ライブ光ファイバの第３の群３０（３）は、光スプリッタの第２の群３２（２）と第２のライブ多心コネクタ１４（２）のファイバ位置の第１の群（ファイバ位置Ｆ１〜Ｆ４）との間に接続され、ライブ光ファイバの第４の群３０（４）は、光スプリッタの第２の群３２（２）と第１のライブ多心コネクタ１４（１）のファイバ位置の第１の群（ファイバ位置Ｆ１〜Ｆ４）との間に接続されている。
【００３３】
しかしながら、この実施形態では、タップ光ファイバの第１の群３４（１）は、光スプリッタの第１の群３２（１）とタップ多心コネクタ４０のファイバ位置の第２の群（ファイバ位置Ｆ９〜Ｆ１２）との間に接続され、タップ光ファイバの第２の群３４（２）は、光スプリッタの第２の群３２（２）と同一のタップ多心コネクタ４０のファイバ位置の第１の群（ファイバ位置Ｆ１〜Ｆ４）との間に接続されている。それにより、この実施形態は、ライブ多心コネクタ１４（１）及び１４（２）と同一のＢａｓｅ‐８並列光学構成を有する単一のタップ多心コネクタ４０を介する８つ全てのライブ接続部のモニタを可能にする。
【００３４】
この１‐タップ多心並列光学構成は、Ｔｙｐｅ‐Ｂ極性構成とも互換性がある。この点に関し、図５は、ライブ多心コネクタ１４（１）及び１４（２）が図３の組立体３６と同様なＴｙｐｅ‐Ｂ極性構成で相互に接続された組立体４２を示しており、この組立体は、ライブ多心コネクタ１４（１）及び１４（２）により提供されるライブ信号の両方の群を受け取るよう構成された１つのタップ多心コネクタ４０を含む。
【００３５】
図３を参照して上述したように、ライブ光ファイバの第１の群３０（１）は、光スプリッタの第１の群３２（１）と第１のライブ多心コネクタ１４（１）のファイバ位置の第１の群（ファイバ位置Ｆ１〜Ｆ４）との間に接続され、ライブ光ファイバの第２の群３０（２）は、光スプリッタの第１の群３２（１）と第２のライブ多心コネクタ１４（２）のファイバ位置の第２の群（ファイバ位置Ｆ９〜Ｆ１２）との間に接続されている。同様に、ライブ光ファイバの第３の群３０（３）は、光スプリッタの第２の群３２（２）と第２のライブ多心コネクタ１４（２）のファイバ位置の第１の群（ファイバ位置Ｆ１〜Ｆ４）との間に接続され、ライブ光ファイバの第４の群３０（４）は、光スプリッタの第２の群３２（２）と第１のライブ多心コネクタ１４（１）のファイバ位置の第２の群（ファイバ位置Ｆ９〜Ｆ１２）との間に接続されている。
【００３６】
図４のＴｙｐｅ‐Ａ組立体３８の場合と同様、図５のタップ光ファイバの第１の群３４（１）は、光スプリッタの第１の群３２（１）とタップ多心コネクタ４０のファイバ位置の第２の群（ファイバ位置Ｆ９〜Ｆ１２）との間に接続され、タップ光ファイバの第２の群３４（２）は、光スプリッタの第２の群３２（２）と同一のタップ多心コネクタ４０のファイバ位置の第１の群（ファイバ位置Ｆ１〜Ｆ４）との間に接続されている。それにより、この実施形態は、ライブ多心コネクタ１４（１）及び１４（２）と同一のＢａｓｅ‐８並列光学構成を有する単一のタップ多心コネクタ４０を介する８つ全てのライブ接続部のモニタを可能にする。
【００３７】
上述したように、Ｂａｓｅ‐８並列光学構成は、４チャネル用途、例えば４０Ｇ‐１０Ｇチャネル、又は１００Ｇ‐２５Ｇチャネル、又は他の構成に好適である。しかしながら、ネットワークの幾つかの部分で用いられる多心接続部のファイバ位置のうちの全部で１２個のファイバ位置を採用することによって帯域幅密度を最大にすることも又望ましい場合がある。例えば、切り替えソリューション（解決策）が比較的少量のラックスペース内に何百又は何千という多くの数の光ファイバ接続部を管理するために必要とされる場合がある。かくして、同一形式の多心コネクタを用いて複数のＢａｓｅ‐８並列光学構成をこれよりも小さい数のＢａｓｅ‐１２並列光学構成に変換することができ、それにより、より大きな総数の接続部が同一量のラックスペースを占めることができるようにすることが望ましい場合がある。追加のスペースは又、もし上述のように構成していなければＢａｓｅ‐８タップ接続部として既存のラックスペース内に納まることのないＢａｓｅ‐１２タップ接続部の追加を見込むことができる。
【００３８】
この点において、図６は、例示のＢａｓｅ‐８／Ｂａｓｅ‐１２タップ変換組立体４４を示している。タップ変換組立体４４は、タップ変換組立体４４の前側端部に設けられた３つのＢａｓｅ‐８ライブ多心コネクタ１４（１）〜１４（３）及びタップ変換組立体４４の後側端部に設けられた２つのＢａｓｅ‐１２ライブ多心コネクタ４６（１）及び４６（２）を含む。１対のＢａｓｅ‐１２タップ多心コネクタ４８（１）及び４８（２）も又、タップ変換組立体４４内に設けられている。
【００３９】
この実施形態では、ライブ多心コネクタ１４（１）は、Ｔｙｐｅ‐Ｂ構成でライブ多心コネクタ４６（１）に接続されており、ライブ多心コネクタ１４（１）のファイバ位置Ｆ１〜Ｆ４は、ライブ光ファイバの第１の群３０（１）、光スプリッタの第１の群３２（１）及びライブ光ファイバの第２の群３０（２）を介してライブ多心コネクタ４６（１）のファイバ位置Ｆ９〜Ｆ１２に接続され、ライブ多心コネクタ４６（１）のファイバ位置Ｆ１〜Ｆ４は、ライブ光ファイバの第３の群３０（３）、光スプリッタの第２の群３２（２）及びライブ光ファイバの第４の群３０（４）を介してライブ多心コネクタ１４（１）のファイバ位置Ｆ９〜Ｆ１２に接続されている。同様に、ライブ多心コネクタ１４（２）も又、Ｔｙｐｅ‐Ｂ構成でライブ多心コネクタ４６（２）に接続され、ライブ多心コネクタ１４（２）のファイバ位置Ｆ１〜Ｆ４は、ライブ光ファイバの第５の群３０（５）、光スプリッタの第３の群３２（３）及びライブ光ファイバの第６の群３０（６）を介してライブ多心コネクタ４６（２）のファイバ位置Ｆ９〜Ｆ１２に接続され、ライブ多心コネクタ４６（２）のファイバ位置Ｆ１〜Ｆ４は、ライブ光ファイバの第７の群３０（７）、光スプリッタの第４の群３２（４）、及びライブ光ファイバの第８の群３０（８）を介してライブ多心コネクタ１４（２）のファイバ位置Ｆ９〜Ｆ１２に接続されている。
【００４０】
この実施形態では、第３のＢａｓｅ‐８ライブ多心コネクタ１４（３）によって用いられる８つのファイバ位置をライブ多心コネクタ４６（１）及び４６（２）の残りのファイバ位置（ファイバ位置Ｆ５〜Ｆ８）に振り分けることができ、それによりライブ多心コネクタ４６（１）及び４６（２）の全部で１２個のファイバ位置を採用することができるということが理解できる。この実施形態では、ライブ多心コネクタ１４（３）の８つのアクティブなファイバ位置は、４つの対に分割され、外側の対は、ライブ多心コネクタ４６（１）にルーティングされ、内側の対は、ライブ多心コネクタ４６（２）にルーティングされている。具体的に説明すると、ライブ多心コネクタ１４（３）のファイバ位置Ｆ１及びＦ２は、第１の対をなすライブ光ファイバ５０（１）、第１の対をなす光スプリッタ５２（１）、及び第２の対をなすライブ光ファイバ５０（２）を介してライブ多心コネクタ４６（１）のファイバ位置Ｆ７及びＦ８に相互接続され、ライブ多心コネクタ１４（３）のファイバ位置Ｆ３及びＦ４は、第３の対をなすライブ光ファイバ５０（３）、第２の対をなす光スプリッタ５２（２）、及び第４の対をなすライブ光ファイバ５０（４）を介してライブ多心コネクタ４６（２）のファイバ位置Ｆ７及びＦ８に相互接続されている。同様に、ライブ多心コネクタ４６（１）のファイバ位置Ｆ５及びＦ６は、第５の対をなすライブ光ファイバ５０（５）、第３の対をなす光スプリッタ５２（３）、及び第６の対をなすライブ光ファイバ５０（６）を介してライブ多心コネクタ１４（３）のファイバ位置Ｆ１１及びＦ１２に相互接続され、ライブ多心コネクタ４６（２）のファイバ位置Ｆ５及びＦ６は、第７の対をなすライブ光ファイバ５０（７）、第４の対をなす光スプリッタ５２（４）、及び第８の対をなすライブ光ファイバ５０（８）を介してライブ多心コネクタ１４（３）のファイバ位置Ｆ９及びＦ１０に相互接続されている。
【００４１】
このように、タップ変換組立体４４は、３つのＢａｓｅ‐８ライブ多心コネクタ１４（１）〜１４（３）と２つのＢａｓｅ‐１２ライブ多心コネクタ４６（１）及び４６（２）との間の全部で２４個のライブ接続部の変換を行うよう構成されるのが良い。図６で理解できるように、類似のＢａｓｅ‐８からＢａｓｅ‐１２への変換方式を用いると、全部で２４個のライブ光接続部を１対のＢａｓｅ‐１２タップ多心コネクタ４８（１）及び４８（２）に提供することができる。具体的に説明すると、タップ多心コネクタ４８（１）のファイバ位置Ｆ９〜Ｆ１２は、タップ光ファイバの第１の群３４（１）に接続され、タップ多心コネクタ４８（１）のファイバ位置Ｆ１〜Ｆ４は、タップ光ファイバの第２の群３４（２）に接続され、それによりライブ多心コネクタ１４（１）と関連した全てのライブ信号が引き出される。同様に、タップ多心コネクタ４８（２）のファイバ位置Ｆ９〜Ｆ１２は、タップ光ファイバの第３の群３４（３）に接続され、タップ多心コネクタ４８（２）のファイバ位置Ｆ１〜Ｆ４は、タップ光ファイバの第４の群３４（４）に接続され、それによりライブ多心コネクタ１４（２）と関連した全てのライブ信号が引き出される。
【００４２】
ライブ多心コネクタ１４（３）と関連した８つのライブ信号は、タップ多心コネクタ４８（１）及び４８（２）の両方の残りのファイバ位置Ｆ５〜Ｆ８を用いてタップ多心コネクタ４８（１）及び４８（２）の両方によって引き出される。具体的に説明すると、タップ多心コネクタ４８（１）のファイバ位置Ｆ７及びＦ８は、第１の対をなすタップ光ファイバの第１の対５４（１）に接続され、タップ多心コネクタ４８（１）のファイバ位置Ｆ５及びＦ６は、タップ光ファイバの第２の対５４（２）に接続されている。同様に、タップ多心コネクタ４８（２）のファイバ位置Ｆ７及びＦ８は、タップ光ファイバの第３の対５４（３）に接続され、タップ多心コネクタ４８（２）のファイバ位置Ｆ５及びＦ６は、タップ光ファイバの第４の対５４（４）に接続されている。かくして、タップ変換組立体４４がライブ光信号とタップ光信号の両方の高密度伝送を可能にしていることが理解できる。
【００４３】
理解されるべきこととして、他の並列光学構成も又採用可能である。非限定的な１つの実施例では、別規格の並列光学構成が２４‐接続多心コネクタ（図示せず）を用いると共に各方向に１０個のアクティブファイバ接続部を採用することができる。この実施例では、多心コネクタのファイバ位置Ｆ２〜Ｆ１１は、一方の方向に用いられるのが良く、ファイバ位置Ｆ１４〜Ｆ２３は、他方の方向に用いられるのが良い。かくして、理解できるように、タップ多心コネクタ組立体及び変換組立体、例えば上述の実施形態を用いると、ライブトラフィックを中断させることなく、同時のタップ多心コネクタモニタを実施可能にする多種多様な光ファイバネットワーク構成が実現可能である。
【００４４】
この点において、図７は、図２Ａを参照して上記において詳細に説明したＴｙｐｅ‐Ａ組立体１８を用いた光ファイバネットワークの一部分５６を示している。この実施例では、Ｔｙｐｅ‐Ｂジャンパケーブル５８がライブ多心コネクタ１４（２）に取り付けられると共にタップ多心コネクタ２８（１）及び２８（２）の各々に取り付けられ、それにより追加の光ファイバコンポーネント、デバイス又は他の機器（図示せず）の接続が実施可能である。ジャンパケーブル５８のＴｙｐｅ‐Ｂ極性構成のために、所与の多心コネクタ６０の各ファイバ位置は、対向した多心コネクタ６０の対向したファイバ位置に光学的に結合されている。例えば、光ファイバ６２（１）は、対向した多心コネクタ６０のファイバ位置Ｆ１とファイバ位置Ｆ１２との間に接続され、光ファイバ６２（２）は、対向した多心コネクタ６０のファイバ位置Ｆ２とファイバ位置Ｆ１１との間に接続されており、その他同様である。
【００４５】
Ｔｙｐｅ‐Ｂ幹線ケーブル６４がライブ多心コネクタ１４（１）に接続されており、このＴｙｐｅ‐Ｂ幹線ケーブルは、一端に設けられた多心コネクタ６０と他端に設けられた多心コネクタ６６との間の同一のＴｙｐｅ‐Ｂ極性構造を備えた状態で構成されている。別のＴｙｐｅ‐Ｂジャンパケーブル５８は、幹線ケーブル６４の多心コネクタ６６に接続されており、それにより、例えば、組立体１８から長い距離を置いたところでの光ファイバコンポーネント（図示せず）の接続が可能である。
【００４６】
次に、本明細書において説明した互いに異なる組立体及び変換組立体を採用した追加のネットワークについて説明する。この点において、図８は、図３のＴｙｐｅ‐Ｂ組立体３６を含む光ファイバネットワークの一部分６８を示している。ライブ多心コネクタ１４（２）並びに第１及び第２のタップ多心コネクタ２８（１）及び２８（２）の各々は、それぞれのＴｙｐｅ‐Ｂジャンパケーブル５８に接続され、ライブ多心コネクタ１４（１）は、Ｔｙｐｅ‐Ｂ幹線ケーブル６４に接続されている。この実施形態では、Ｔｙｐｅ‐Ａジャンパケーブル７０がライブ多心コネクタ１４（１）に対応したライブ信号の極性を是正するために必要である。
【００４７】
図９は、図４に記載されているようなＴｙｐｅ‐Ａ組立体３８を採用したネットワークの一部分７２を示している。この実施形態では、ジャンパケーブル５８及び幹線ケーブル６４は、図７の光ファイバネットワーク５６と同様な仕方でライブ多心コネクタ１４（１）及び１４（２）に接続されている。しかしながら、たった１つの組み合わせ状態のタップ多心コネクタ４０が用いられているので、Ｙ‐光ファイバケーブル組立体７４がタップ多心コネクタ４０からのタップ信号を分離してそれぞれの群をなすタップ信号を互いに異なるコンポーネント（図示せず）に提供するために用いられている。Ｙ‐光ファイバケーブル組立体７４は、タップ光ファイバの２つの群３４（３）及び３４（４）を対応のタップコネクタ７８（１）及び７８（２）のファイバ位置Ｆ９〜Ｆ１２にルーティングするコネクタ７６を含む。このように、単一のタップ多心コネクタ４０を組立体３８内に用いることができる一方で、依然として互いに異なるデバイスによるタップ信号の互いに異なる群のモニタが可能である。
【００４８】
図１０は、図５に記載されているようなＴｙｐｅ‐Ｂ組立体４２を採用した類似のネットワークの一部分８０を開示している。ジャンパケーブル５８，７０及び幹線ケーブル６４は、図８のネットワーク６８と類似した仕方でライブ多心コネクタ１４（１）及び１４（２）に接続され、他方、Ｙ‐光ファイバケーブル組立体７４は、図９のネットワーク７２と類似した仕方で配置されている。
【００４９】
図６のタップ変換組立体４４も又、モニタ機能をアクティブ光ファイバネットワーク中に統合するために使用できる。この点において、図１１Ａ及び図１１Ｂは、タップ変換組立体４４の一方の側に設けられた３つのＢａｓｅ‐８ファイバ位置と他方の側に設けられた２つのライブＢａｓｅ‐１２ファイバ位置及び２つのタップＢａｓｅ‐１２ファイバ位置との間での変換を行うタップ変換組立体４４を用いたネットワークの一部分８２を開示している。変換組立体８４も又、２つのＢａｓｅ‐１２ファイバ位置に接続されている。変換組立体８４は、一方の側に設けられた２つのライブＢａｓｅ‐１２位置と他方の側に設けられた３つのＢａｓｅ‐８位置との変換を行うことができる。このように、多数のＢａｓｅ‐８コンポーネントがネットワーク８２を用いることができる一方で、高い接続密度が要望される場所、例えば、スイッチのところでネットワーク８２の幾つかの部分内に比較的少量のラックスペースを必要とする。
【００５０】
この点において、図１１Ａ及び図１１Ｂは、ジャンパケーブル５８がライブＢａｓｅ‐８コネクタ１４（１）〜１４（３）の各々に取り付けられ、１対のジャンパケーブル５８が変換組立体８４（図１１Ｂに示されている）の一方の側に設けられたライブＢａｓｅ‐１２コネクタ４６（３）及び４６（４）に接続されるようライブＢａｓｅ‐１２コネクタ４６（２）から延びた状態でタップ変換組立体４４（図１１Ａに示されている）を開示している。変換組立体８４は、他方の側に設けられた３つのＢａｓｅ‐８コネクタ１４（４）〜１４（６）を有し、各Ｂａｓｅ‐８コネクタは、それぞれのジャンパケーブル５８に接続されている。変換組立体８４のＢａｓｅ‐１２からＢａｓｅ‐８への変換は、タップ変換組立体４４の変換と対称であり、ライブ光ファイバの第９の群３０（９）及び第１０の群３０（１０）は、多心コネクタ１４（４）及び４６（３）相互間に接続され、ライブ光ファイバの第１１の群３０（１１）及び第１２の群３０（１２）は、ライブ多心コネクタ１４（５）及び４６（４）相互間に接続され、ライブ光ファイバの第９の対５０（９）及び第１０の対５０（１０）は、ライブ多心コネクタ１４（６）及び４６（３）相互間に接続され、ライブ光ファイバの第１１の対５０（１１）及び第１２の対５０（１２）は、ライブ多心コネクタ１４（６）及び４６（４）相互間に接続されている。
【００５１】
かくして、理解できるように、タップ接続部を本明細書において開示すると共に想定した組立体及び方法を含む組立体により任意の数のネットワーク構成に統合できる。この点において、図１２は、並列光学接続構成を用いてライブ及びタップ光ファイバ信号をルーティングする例示の方法の流れ図８６を示している。最初に、第１の複数のライブ光入力信号をフェーズ光結合構成で光ファイバ組立体の第１の複数のライブ出力ファイバ位置のところで受け取る（ブロック８８）。また、第２の複数のライブ光入力信号を並列光結合構成で光ファイバ組立体の第２の複数のライブ出力ファイバ位置のところで受け取る（ブロック９０）。この方法は、第１の複数のライブ光入力信号を第１の複数のライブ光出力信号及び第１の複数のタップ光出力信号に分割するステップを更に含む（ブロック９２）。この方法は、第１の複数のライブ光出力信号を並列光結合構成で光ファイバ組立体の第２のライブ光コンポーネントに提供するステップを更に含む（ブロック９４）。この方法は、複数のタップ光出力信号を並列光結合構成で光ファイバ組立体の少なくとも１つのタップ光コンポーネントから提供するステップを更に含む（ブロック９６）。理解されるべきこととして、この方法ステップ及び他の方法ステップは、所望に応じて順番に又は同時に実施できる。
【００５２】
注目されるべきこととして、光ファイバ組立体のうちの任意のものを所望に応じて光ファイバモジュール、光ファイバケーブル、又は任意他の形式の光ファイバデバイス又はエンクロージャ内に提供することができる。また、注目されるべきこととして、ファイバ接続位置を有する別の光ファイバ接続コンポーネントを光ファイバコネクタに代えて用いることができ、係る光ファイバコネクタとしては、所望に応じて、上述のライブ多心コネクタ及び／又はタップ多心コネクタが挙げられる。本明細書において説明した光結合はどれも、直接結合には限定されない。２つのコンポーネント又はデバイス相互間の本明細書において説明した光結合部は、直接又は間接光結合を含むことができる。本明細書において説明した任意の光ファイバコネクタは、光学経路を提供すると共に光結合部を構成するためのレンズの使用を含むのが良く、かかるレンズとしては、屈折率分布型（ＧＲＩＮ）レンズが挙げられるが、これには限定されない。
【００５３】
別段の明示の指定がなければ、本明細書において記載した方法はどれも、そのステップを特定の順序で実施することを必要とするものとして解されるものではない。したがって、方法クレームがそのステップの実施順序を実際に記載していない場合、又はステップが特定の順序に限定されるべきことが特許請求の範囲又は明細書に具体的に記載されていない場合、任意の特定の順序が推定されるものではない。
【００５４】
当業者には明らかなように、本発明の精神又は範囲から逸脱することなく、種々の改造及び変形を行うことができる。本発明の精神及び要旨を含む開示した実施形態の改造、コンビネーション、サブコンビネーション及び変形が当業者に想定できるので、本明細書は、添付の特許請求の範囲に記載された本発明の範囲及びその均等範囲に含まれる全ての形態を含むものと解されるべきである。
【図１】
2016540251.tif 000003
【図２Ａ】
2016540251.tif 000004
【図２Ｂ】
2016540251.tif 000005
【図３】
2016540251.tif 000006
【図４】
2016540251.tif 000007
【図５】
2016540251.tif 000008
【図６】
2016540251.tif 000009
【図７】
2016540251.tif 000010
【図８】
2016540251.tif 000011
【図９】
2016540251.tif 000012
【図１０】
2016540251.tif 000013
【図１１Ａ】
2016540251.tif 000014
【図１１Ｂ】
2016540251.tif 000015
【図１２】
2016540251.tif 000016
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
光ファイバネットワーク内で光結合部を支持する光ファイバ組立体であって、
第１の複数のライブ入力ファイバ位置を有する第１のライブ多心コンポーネントと、
前記第１の複数のライブ入力ファイバ位置に光学的に結合された、第２の複数のライブ出力ファイバ位置を有する第２のライブ多心コンポーネントと、
前記第２の複数のライブ出力ファイバ位置に光学的に結合された第１の複数のタップ入力ファイバ位置を有する少なくとも１つのタップ多心コンポーネントとを含み、
前記第１の複数のタップ入力ファイバ位置と前記第２の複数のライブ出力ファイバ位置との間には並列光結合構成が実現されている、光ファイバ組立体。
【請求項２】
前記第１のライブ多心コンポーネントは、第１の複数のライブ出力ファイバ位置を更に有し、
前記第２のライブ多心コンポーネントは、前記第１の複数のライブ出力ファイバ位置に光学的に結合された第２の複数のライブ入力ファイバ位置を更に有し、
前記少なくとも１つのタップ多心コンポーネントは、前記第２の複数のライブ出力ファイバ位置に光学的に結合された第２の複数のタップ入力ファイバ位置を更に有し、前記第２の複数のタップ入力ファイバ位置と前記第２の複数のライブ出力ファイバ位置との間には並列光結合構成が実現されている、請求項１記載の光ファイバ組立体。
【請求項３】
光ファイバモジュール内に配置された請求項２記載の光ファイバ組立体。
【請求項４】
前記第１のライブ多心コンポーネントは、第１のライブ多心コネクタであり、
前記第２のライブ多心コンポーネントは、第２のライブ多心コネクタであり、
前記少なくとも１つのタップ多心コンポーネントの各々は、タップ多心コネクタである、請求項２に記載の光ファイバ組立体。
【請求項５】
前記第１のライブ多心コネクタ及び第２のタップ多心コネクタは、エンクロージャの第１の側部内に配置され、
前記第２のライブ多心コネクタ及び第１のタップ多心コネクタは、前記第１の側部と反対側の前記エンクロージャの第２の側部内に配置されている、請求項４記載の光ファイバ組立体。
【請求項６】
前記第１のライブ多心コネクタは、第１のライブ多心アダプタによって受け入れられ、
前記第２のライブ多心コネクタは、第２のライブ多心アダプタによって受け入れられ、
前記タップ多心コネクタは、少なくとも１つのタップ多心アダプタによって受け入れられている、請求項４記載の光ファイバ組立体。
【請求項７】
各々ライブ入力、ライブ出力及びタップ出力を有する第１の複数の光スプリッタ及び第２の複数の光スプリッタと、
前記第１の複数の光スプリッタの前記ライブ入力と前記第１の複数のライブ出力ファイバ位置との間に接続された第１の複数のライブ光ファイバと、
前記第１の複数の光スプリッタの前記ライブ出力と前記第２の複数のライブ入力ファイバ位置との間に接続された第２の複数のライブ光ファイバと、
前記第２の複数の光スプリッタの前記ライブ入力と前記第２の複数のライブ出力ファイバ位置との間に接続された第３の複数のライブ光ファイバと、
前記第２の複数の光スプリッタの前記ライブ出力と前記第１の複数のライブ入力ファイバ位置との間に接続された第４の複数のライブ光ファイバと、
前記第１の複数の光スプリッタの前記タップ出力と前記少なくとも１つのタップ多心コンポーネントのうちの１つの前記第１の複数のタップ入力ファイバ位置との間に接続された第１の複数のタップ光ファイバと、
前記第１の複数の光スプリッタの前記タップ出力と前記少なくとも１つのタップ多心コンポーネントのうちの１つの前記第２の複数のタップ入力ファイバ位置との間に接続された第２の複数のタップ光ファイバとを更に含む、請求項２記載の光ファイバ組立体。
【請求項８】
前記第１のライブ多心コンポーネントの前記第１の複数のライブ入力ファイバ位置及び前記第１の複数のライブ出力ファイバ位置は、複数のファイバ位置を備えた第１の並列光学構成を有し、前記複数のファイバ位置のうちの半分は、前記第１の複数のライブ入力ファイバ位置であり、前記複数のファイバ位置のうちの別の半分は、前記第１の複数のライブ出力ファイバ位置であり、
前記第２のライブ多心コンポーネントの前記第２の複数のライブ入力ファイバ位置及び前記第２の複数のライブ出力ファイバ位置は、複数のファイバ位置を備えた第１の並列光学構成を有し、前記複数のファイバ位置のうちの半分は、前記第２の複数のライブ入力ファイバ位置であり、前記複数のファイバ位置のうちの別の半分は、前記第２の複数のライブ出力ファイバ位置であり、
前記少なくとも１つのタップ多心コンポーネントのうちの１つの前記第１の複数のタップ入力ファイバ位置は、複数のファイバ位置を備えた前記第１の並列光学構成を有し、前記複数のファイバ位置のうちの半分は、前記第１の複数のタップ入力ファイバ位置であり、
前記少なくとも１つのタップ多心コンポーネントのうちの１つの前記第２の複数のタップ入力ファイバ位置は、複数のファイバ位置を備えた前記第１の並列光学構成を有し、前記複数のファイバ位置のうちの半分は、前記第２の複数のタップ入力ファイバ位置である、請求項７記載の光ファイバ組立体。
【請求項９】
前記複数のファイバ位置の半分に対応した第１の複数のファイバ位置及び前記複数のファイバ位置のうちの別の半分に対応した第２の複数のファイバ位置は、等しい個数のファイバ位置を含む、請求項８記載の光ファイバ組立体。
【請求項１０】
前記第１及び前記第２の複数の光スプリッタの各々は、前記第１及び前記第２の複数のファイバ位置の各々のファイバ位置の個数に等しい個数の光スプリッタを含む、請求項９記載の光ファイバ組立体。
【国際調査報告】
2016540251.tif 000017
2016540251.tif 000018